(57)【要約】【課題】  取出口の内側に搬出された商品に汚れが付着することを防止できる自動販売機を提供する。【解決手段】  自動販売機は、１対のプーリ１６に巻き付けて配置され、内部から取出口１ｃの内側に搬出された商品ＣＯをその上側部分によって受け止め得る無端ベルト１７と、少なくとも取出扉１４が閉塞位置から開放されるときの回転力を一方のプーリ１６に伝達して該プーリ１６の回転によって無端ベルト１７を回転させる手段（プーリ１９，２０及び無端ベルト２１）と、無端ベルト１７が回転する際にその表面を洗浄する、洗浄液が染み込んだ含液部材１８ａとを備える。【選択図】  図３
2008040548.tif 000002
【特許請求の範囲】
【請求項１】
商品を取り出すための取出口と、該取出口を開閉するための回転自在な取出扉とを備えた自動販売機において、
１対のプーリに巻き付けて配置され、内部から取出口の内側に搬出された商品をその上側部分によって受け止め得る無端ベルトと、
少なくとも取出扉が閉塞位置から開放されるときの回転力を一方のプーリに伝達して該プーリの回転によって無端ベルトを回転させる回転力伝達手段と、
無端ベルトの表面に接触するように配置され該無端ベルトが回転する際にその表面を清掃するベルト清掃手段とを備える、
ことを特徴とする自動販売機。
【請求項２】
回転力伝達手段は、取出扉の回転角度に基づく無端ベルトの回転量を調整する歯車機構を含む、
ことを特徴とする請求項１に記載の自動販売機。
【請求項３】
回転力伝達手段は、取出扉が開放位置から閉塞されるときの回転力を一方のプーリに伝達しないためのワンウェイクラッチを含む、
ことを特徴とする請求項１または２に記載の自動販売機。
【請求項４】
ベルト清掃手段は、洗浄液が染み込んだ含液部材から成る、
ことを特徴とする請求項１〜３の何れか１項に記載の自動販売機。
【請求項５】
ベルト清掃手段は、掻き取り部材から成る、
ことを特徴とする請求項１〜３の何れか１項に記載の自動販売機。
【請求項６】
ベルト清掃手段は、ブラシから成る、
ことを特徴とする請求項１〜３の何れか１項に記載の自動販売機。
【請求項７】
商品を取り出すための取出口と、該取出口を開閉するための回転自在な取出扉とを備えた自動販売機において、
一端側を繰出プーリに巻き付けられ他端側を巻取プーリに止着され、繰出プーリと巻取プーリとの間に存するシート部分によって内部から取出口の内側に搬出された商品を受け止め得る有端シートと、
取出扉が閉塞位置から開放されるときの回転力を巻取プーリに伝達して該巻取プーリの回転によって有端シートの繰り出し及び巻き取りを行わせる回転力伝達手段とを備える、
ことを特徴とする自動販売機。
【請求項８】
回転力伝達手段は、取出扉が開放位置から閉塞されるときの回転力を巻取プーリに伝達しないためのワンウェイクラッチを含む、
ことを特徴とする請求項７に記載の自動販売機。
【請求項９】
回転力伝達手段は、取出扉が閉塞位置から開放されるときの回転角度に基づく有端シートの巻取量を調整する歯車機構を含む、
ことを特徴とする請求項７または８に記載の自動販売機。
【請求項１０】
商品を取り出すための取出口と、該取出口を開閉するための回転自在な取出扉とを備えた自動販売機において、
多数のシートが剥離可能な状態で上下方向に積層された形態を有し、内部から取出口の内側に搬出された商品をその上面で受け止め得る多層シートとを備える、
ことを特徴とする自動販売機。
【発明の詳細な説明】
【技術分野】
【０００１】
本発明は、容器入り飲料等を販売する自動販売機に関する。
【背景技術】
【０００２】
この種の自動販売機は、商品を取り出すための取出口と、該取出口を開閉するための回転自在な取出扉とを備えている。金銭投入操作及び商品選択操作に基づいて要求された商品は内部から取出口の内側に搬出され、客は取出扉を開けて該商品を取出口から取り出す。
【特許文献１】特開２００５−２２８１１７
【特許文献２】実開平５−２２８３
【発明の開示】
【発明が解決しようとする課題】
【０００３】
前記自動販売機は屋内または屋外に設置され使用に供されるが、とりわけ屋外に設置された自動販売機の取出口の内側は該取出口を通じて侵入した塵埃や砂埃や雨水等によって汚れ易いため、取出口の内側に搬出された商品に該汚れが付着する恐れが高い。汚れてしまった商品を客に提供することは客に対して不快感を与えるばかりでなく、当該自動販売機の売り上げ低下を招来してしまう。
【０００４】
本発明は前記事情に鑑みて創作されたもので、その目的とするところは、取出口の内側に搬出された商品に汚れが付着することを防止できる自動販売機を提供することにある。
【課題を解決するための手段】
【０００５】
前記目的を達成するため、本発明は、商品を取り出すための取出口と、該取出口を開閉するための回転自在な取出扉とを備えた自動販売機において、１対のプーリに巻き付けて配置され、内部から取出口の内側に搬出された商品をその上側部分によって受け止め得る無端ベルトと、少なくとも取出扉が閉塞位置から開放されるときの回転力を一方のプーリに伝達して該プーリの回転によって無端ベルトを回転させる回転力伝達手段と、無端ベルトの表面に接触するように配置され該無端ベルトが回転する際にその表面を清掃するベルト清掃手段とを備える、ことをその特徴とする。
【０００６】
この自動販売機によれば、取出扉が閉塞位置から開放されるときの回転力を利用して無端ベルトを回転させて該回転によって無端ベルトの表面を清掃することができる。つまり、内部から取出口の内側に搬出された商品を受け止める無端ベルトの上側部分の表面が取出口の内側に侵入した塵埃や砂埃や雨水等によって汚れた場合でも、客が閉塞位置にある取出扉を開ける度に前記の無端ベルトの表面清掃を実施することにより、内部から取出口の内側に搬出された商品を受け止める無端ベルトの上側部分の表面を常に綺麗な状態に維持でき、取出口の内側に搬出された商品に汚れが付着することを確実に防止できる。
【０００７】
また、本発明は、商品を取り出すための取出口と、該取出口を開閉するための回転自在な取出扉とを備えた自動販売機において、一端側を繰出プーリに巻き付けられ他端側を巻取プーリに止着され、繰出プーリと巻取プーリとの間に存するシート部分によって内部から取出口の内側に搬出された商品を受け止め得る有端シートと、取出扉が閉塞位置から開放されるときの回転力を巻取プーリに伝達して該巻取プーリの回転によって有端シートの繰り出し及び巻き取りを行わせる回転力伝達手段とを備える、ことをその特徴とする。
【０００８】
この自動販売機によれば、取出扉が閉塞位置から開放されるときの回転力を利用して巻取プーリによる有端シートの繰り出しと巻き取りを行わせることができる。つまり、内部から取出口の内側に搬出された商品を受け止める有端シートの一部分の表面が取出口の内側に侵入した塵埃や砂埃や雨水等によって汚れた場合でも、客が閉塞位置にある取出扉を開ける度に前記の有端シートの繰り出し及び巻き取りを実施して繰出プーリと巻取プーリとの間に新しいシート部分を移行させることにより、内部から取出口の内側に搬出された商品を受け止めるシート部分の表面を常に綺麗な状態に維持でき、取出口の内側に搬出された商品に汚れが付着することを確実に防止できる。
【０００９】
さらに、本発明は、商品を取り出すための取出口と、該取出口を開閉するための回転自在な取出扉とを備えた自動販売機において、多数のシートが剥離可能な状態で上下方向に積層された形態を有し、内部から取出口の内側に搬出された商品をその上面で受け止め得る多層シートとを備える、ことをその特徴とする。
【００１０】
この自動販売機によれば、内部から取出口の内側に搬出された商品を受け止める多層シートの上面が取出口の内側に侵入した塵埃や砂埃や雨水等によって汚れた場合でも、該多層シートの最上層のシートを剥離してその下側の新しいシートを露出させることにより、内部から取出口の内側に搬出された商品を受け止める多層シートの上面を常に綺麗な状態に維持でき、取出口の内側に搬出された商品に汚れが付着することを確実に防止できる。
【発明の効果】
【００１１】
本発明によれば、取出口の内側に搬出された商品に汚れが付着することを防止できる自動販売機を提供することができる。
【００１２】
本発明の前記目的とそれ以外の目的と、構成特徴と、作用効果は、以下の説明と添付図面によって明らかとなる。
【発明を実施するための最良の形態】
【００１３】
［第１実施形態］
図１〜図３は本発明の第１実施形態を示すもので、図１は自動販売機の正面図、図２は図１に示した自動販売機の要部拡大縦断面図、図３は取出扉の開放に伴う動作説明図である。
【００１４】
本第１実施形態の自動販売機は、前面を開口した箱形のキャビネット（図２の符号２４参照）と、キャビネット２４の前面開口を開閉する回転自在なメインドア１とを有する。
【００１５】
メインドア１の前面上部には透明板２によって覆われた窓穴１ａが設けられ、複数の商品サンプル３を展示するためのサンプル展示室Ｒ１が該透明板２の後側に設けられている。透明板３の前面には複数の商品選択ボタン４が商品サンプル３それぞれに対応して設けられている。商品サンプル３は販売商品の種類に対応しており、該商品サンプル３はサンプル展示室Ｒ１内に設けられたサンプル載置台５に着脱自在に取り付けられている。
【００１６】
メインドア１のサンプル展示室Ｒ１の下側には透明板６によって覆われた別の窓穴１ｂが設けられ、ポスター等の広告媒体７を掲示するための広告室Ｒ２が該透明板６の後側に設けられている。また、メインドア１のサンプル展示室Ｒ１の下側にはメインドア用ロック（図示省略）を操作するためのレバー８と、硬貨投入口９と、硬貨返却レバー１０と、液晶パネル等から成る表示部１１と、紙幣投入口１２と、釣銭返却口１３が設けられている。さらに、メインドア１の下部には商品を取り出すための横長矩形状の取出口１ｃと、該取出口１ｃを開閉するための回転自在な取出扉１４が設けられている。
【００１７】
図２に示すように、取出扉１４は上端の少なくとも左右両側に軸部１４ａを有していて、両軸部１４ａを取出口１ｃの内側の左右壁に回転自在に軸支されている。また、取出口１ｃの内側には内部から取出口１ｃの内側に搬出された商品ＣＯを受容する空間の底壁を構成する板材１５が設けられている。
【００１８】
板材１５の底面上には前後に間隔をおいて１対のプーリ１６が設けられている。両プーリ１６は少なくとも左右両側に軸部１６ａを有していて、両軸部１６ａを取出口１ｃの内側の左右壁に回転自在に軸支されている。両プーリ１６には合成ゴム等から成る無端ベルト１７が巻き付けられている。この無端ベルト１７は内部から取出口１ｃの内側に搬出された商品ＣＯをその上側部分で受け止めることができる。
【００１９】
また、板材１５の底面には洗浄液が染み込んだ含液部材１８ａを支持する支持板１８が設けられ、含液部材１８ａは無端ベルト１７の下側部分の表面に接触している。含液部材１８ａはスポンジ等の多孔質材や織布や不織布等から成り、洗浄液は除菌能力を備える中性洗剤等から成る。
【００２０】
さらに、取出扉１４の一方の軸部１４ａにはプーリ１９が設けられ、前側プーリ１６の一方の軸部１６ａにはプーリ２０が設けられ、両プーリ１９，２０には合成ゴム等から成る無端ベルト２１が巻き付けられている。
【００２１】
図２中の符号２２はサブドア、２２ａはサブドア２２に設けられた搬出口、２３は搬出口２２ａに回転自在に設けられた開閉扉、２４はキャビネット、２５はキャビネット２４内に設けられた商品搬出用のシュート板、２６はキャビネット２４内に設けられた商品収納空間である。
【００２２】
図示を省略したが、商品収納空間２６には商品ＣＯを種類別に収納する複数のラックと、各ラックに収納されている商品ＣＯを１個ずつ搬出するベント機構が設けられている。金銭投入操作及び商品選択操作に基づいて所定のラックから搬出された商品ＣＯは、シュート板２５を転がり落ちてサブドア２２の開閉扉２３を開放し、搬出口２２ａからさらに落下して無端ベルト１７の上側部分に受け止められる。
【００２３】
客が閉塞位置にある取出扉１４を開けると、図３に示すように、このときの取出扉１４の時計回り方向の回転力がプーリ１９，無端ベルト２１及びプーリ２０を通じて前側プーリ１６に伝達され、該前側プーリ１６が時計回り方向に回転して無端ベルト１７が同一方向に回転する。この無端ベルト１７の回転によって該無端ベルト１７の上側部分が下側に回り込み、回り込んだ部分の表面が含液部材１８ａ及びこれに染み込んでいる洗浄液によって洗浄される。
【００２４】
商品ＣＯが取り出された後に開放位置にある取出扉１４が自重によって閉まると、このときの取出扉１４の反時計回り方向の回転力がプーリ１９，無端ベルト２１及びプーリ２０を通じて前側プーリ１６に伝達され、該前側プーリ１６が反時計回り方向に回転して無端ベルト１７が同一方向に回転する。この回転によって、無端ベルト１７の下側部分が上側に回り込み、回り込もうとする部分の表面が含液部材１８ａ及びこれに染み込んでいる洗浄液によって洗浄される。
【００２５】
前述の自動販売機によれば、取出扉１４が閉塞位置から開放されるときの回転力を利用して無端ベルト１７を回転させ該回転によって無端ベルト１７の表面を洗浄することができる。つまり、内部から取出口１ｃの内側に搬出された商品ＣＯを受け止める無端ベルト１７の上側部分の表面が取出口１ｃの内側に侵入した塵埃や砂埃や雨水等によって汚れた場合でも、客が閉塞位置にある取出扉１４を開ける度に前記の無端ベルト１７の表面洗浄を実施することにより、内部から取出口１ｃの内側に搬出された商品ＣＯを受け止める無端ベルト１７の上側部分の表面を常に綺麗な状態に維持でき、取出口１ｃの内側に搬出された商品ＣＯに汚れが付着することを確実に防止できる。また、商品ＣＯが取り出された後に開放位置にある取出扉１４が自重によって閉まるときにも前記同様の洗浄を行えるので、無端ベルト１７の上側部分の表面洗浄を効果的に行える。
【００２６】
繰り返しの表面洗浄によって含液部材１８ａが汚れてしまった場合には該含液部材１８ａを支持部材１８と一緒に交換すればよく、板材１５の底面等を開閉自在に構成しておけば該含液部材１８ａの交換も簡単に行える。
【００２７】
尚、前述の自動販売機では、取出扉１４が閉塞位置から開放されるときの回転力を利用して無端ベルト１７を回転させるようにしたが、取出扉１４を開放時の回転角度では無端ベルト１７に十分な回転量が得られない場合には、前側プーリ１６の一方の軸部１６ａとこれに設けられたプーリ２０との間に伝達回転量を増幅するための歯車機構（図示省略）を介装して取出扉１４の回転角度に基づく無端ベルト１７の回転量を調整してもよい。
【００２８】
また、前述の自動販売機では、開放位置にある取出扉１４が自重によって閉まるときにも無端ベルト１７を逆方向に回転させるようにしたが、前側プーリ１６の一方の軸部１６ａとこれに設けられたプーリ２０との間にワンウェイクラッチ（図示省略）を介装して取出扉１４が開放位置から閉塞されるときの回転力を前側プーリ１６に伝達しないようにしても、換言すれば、取出扉１４が閉塞位置から開放されるときの回転力のみを前側プーリ１６に伝達するようにしてもよい。
【００２９】
さらに、前述の自動販売機では、無端ベルト１７の上面を清掃する手段として洗浄液が染み込んだ含液部材１８ａを示したが、図４に示すように、無端ベルト１７の表面の汚れを掻き取って除去し得る掻き取り部材１８ｂ、例えば先鋭な接触縁を有するブレード等を支持部材１８に設けてもよい。この場合には、掻き取り部材１８によって除去された汚れが板材１５の底面上に貯まるので、該底面に汚れ落とし用の孔を形成して除去した汚れを該孔を通じて下方に落下させるようにすれば、除去された汚れが板材１５の底面上に貯まることを回避できる。
【００３０】
さらに、前述の自動販売機では、無端ベルト１７の上面を清掃する手段として洗浄液が染み込んだ含液部材１８ａを示したが、図５に示すように、無端ベルト１７の表面の汚れを払って除去し得るブラシ１８ｃを支持部材１８に設けてもよい。この場合には、ブラシ１８ｃによって除去された汚れが板材１５の底面上に貯まるので、該底面に汚れ落とし用の孔を形成して除去した汚れを該孔を通じて下方に落下させるようにすれば、除去された汚れが板材１５の底面上に貯まることを回避できる。
【００３１】
［第２実施形態］
図６及び図７は本発明の第２実施形態を示すもので、図６は自動販売機の要部拡大縦断面図、図７は取出扉の開放に伴う動作説明図である。
【００３２】
本第２実施形態の自動販売機が、前述の第１実施形態の自動販売機と異なるところは、無端ベルト１７及び含液部材１８ａを排除した点と、前側プーリ１６の代わりに有端シート２８が巻き付けられた繰出プーリ２７を設けて少なくともその左右両側に設けられた軸部２７ａを取出口１ｃの内側の左右壁に回転自在に軸支した点と、後側プーリ１６の代わりに繰出プーリ２７からの有端シート２８の繰り出し及び巻き取りを行う巻取プーリ２７を設けて少なくともその左右両側に設けられた軸部２７ａを取出口１ｃの内側の左右壁に回転自在に軸支した点と、巻取プーリ２７の一方の軸部２７ａにワンウェイクラッチ２９（図示省略）を介してプーリ２０を設けて該プーリ２０とプーリ１９に合成ゴム等から成る無端ベルト１７を巻き付けた点にある。
【００３３】
有端シート２８はプラスチック等から成る帯状で長尺のシートであり、一端側が繰出プーリ２７に巻き付けられ他端側が巻取プーリ２７に止着されており、初期の段階でその殆どが繰出プーリ２７に巻き付けられている。繰出プーリ２７と巻取プーリ２７との間に存する有端シート２８の一部分は内部から取出口１ｃの内側に搬出された商品ＣＯを受け止める役目を果たす。ワンウェイクラッチ２９は取出扉１４が開放位置から閉塞されるときの回転力を巻取プーリ２７に伝達しない役目、即ち、取出扉１４が閉塞位置から開放されるときの回転力のみが巻取プーリ２７に伝達する役目を果たす。他の構成は前述の第１実施形態の自動販売機と同じであるため同一符号を用いてその説明を省略する。
【００３４】
客は閉塞位置にある取出扉１４を開けると、図７に示すように、このときの取出扉１４の時計回り方向の回転力がプーリ１９，無端ベルト２１，プーリ２０及びワンウェイクラッチ２９を通じて巻取プーリ２７に伝達され、該巻取プーリ２７が時計回り方向に回転する。この巻取プーリ２７の回転によって繰出プーリ２７からの有端シート２８の繰り出し及び巻き取りが行われる。
【００３５】
商品ＣＯが取り出された後に開放位置にある取出扉１４が自重によって閉まると、このときの取出扉１４の反時計回り方向の回転力がプーリ１９，無端ベルト２１及びプーリ２０に伝達されるが、ワンウェイクラッチ２９はこの方向の回転力を巻取プーリ２７に伝達しないため、有端シート２８は静止状態を維持する。
【００３６】
前述の自動販売機によれば、取出扉１４が閉塞位置から開放されるときの回転力を利用して巻取プーリ２７による有端シート２８の繰り出しと巻き取りを行うことができる。つまり、内部から取出口１ｃの内側に搬出された商品ＣＯを受け止める有端シートの一部分の表面が取出口１ｃの内側に侵入した塵埃や砂埃や雨水等によって汚れた場合でも、客が閉塞位置にある取出扉１４を開ける度に前記の有端シート２８の繰り出し及び巻き取りを実施して繰出プーリ２７と巻取プーリ２７との間に新しいシート部分を移行させることにより、内部から取出口１ｃの内側に搬出された商品ＣＯを受け止めるシート部分の表面を常に綺麗な状態に維持でき、取出口１ｃの内側に搬出された商品ＣＯに汚れが付着することを確実に防止できる。
【００３７】
繰り返しのシート移行によって繰出プーリ２７のシート巻付量が減ってしまった場合には両プーリ２７を新しいものに交換すればよく、板材１５の側面等を開閉自在に構成しておけば該両プーリ２７の交換も簡単に行える。
【００３８】
尚、前述の自動販売機では、取出扉１４が閉塞位置から開放されるときの回転力を利用して有端シート２８を移行させるようにしたが、取出扉１４を開放時の回転角度では有端シート２８に十分な移行量（巻取量）が得られない場合には、巻取プーリ２７の一方の軸部２７ａとこれにワンウェイクラッチ２９を介して設けられたプーリ２０との間に伝達回転量を増幅するための歯車機構（図示省略）を介装して取出扉１４の回転角度に基づく有端シート２８の巻取量を調整してもよい。
【００３９】
［第３実施形態］
図８は本発明の第３実施形態を示す、自動販売機の要部拡大縦断面図である。
【００４０】
本第３実施形態の自動販売機が、前述の第１実施形態の自動販売機と異なるところは、プーリ１６，無端ベルト１７，含液部材１８ａ，プーリ１９，２０及び無端ベルト２１を排除した点と、多層シート３０ａを支持する支持板３０を板材１５の底面に設けた点にある。
【００４１】
多層シート３０ａはプラスチック等から成る薄いシートを低接着性の接着剤等を介して上下方向に積層した形態を有しており、最上層から順に１枚ずつ簡単に剥離できる。この多層シート３０ａは内部から取出口１ｃの内側に搬出された商品ＣＯをその上面で受け止める役目を果たす。他の構成は第１実施形態の自動販売機と同じであるため同一符号を用いてその説明を省略する。
【００４２】
前述の自動販売機によれば、内部から取出口１ｃの内側に搬出された商品ＣＯを受け止める多層シート３０ａの上面が取出口１ｃの内側に侵入した塵埃や砂埃や雨水等によって汚れた場合でも、該多層シート３０ａの最上層のシートを剥離してその下側の新しいシートを露出させることにより、内部から取出口１ｃの内側に搬出された商品ＣＯを受け止める多層シート３０ａの上面を常に綺麗な状態に維持でき、取出口１ｃの内側に搬出された商品ＣＯに汚れが付着することを確実に防止できる。
【００４３】
繰り返しのシート剥離によって多層シート３０ａの残存シート数が減ってしまった場合には該多層シート３０ａを新しいものに交換すればよく、板材１５の側面等を開閉自在に構成しておけば該多層シート３０ａの交換も簡単に行える。
【図面の簡単な説明】
【００４４】
【図１】本発明の第１実施形態を示す、図１は自動販売機の正面図である。
【図２】図１に示した自動販売機の要部拡大縦断面図である。
【図３】取出扉の開放に伴う動作説明図である。
【図４】第１実施形態の部分変形例を示す図である。
【図５】第１実施形態の他の部分変形例を示す図である。
【図６】本発明の第２実施形態を示す、自動販売機の要部拡大縦断面図である。
【図７】取出扉の開放に伴う動作説明図である。
【図８】本発明の第３実施形態を示す、自動販売機の要部拡大縦断面図である。
【符号の説明】
【００４５】
１ｃ…取出口、１４…取出扉、１４ａ…軸部、１６…プーリ、１７…無端ベルト、１８ａ…含液部材、１８ｂ…掻き取り部材、１８ｃ…ブラシ、１９，２０…プーリ、２１…無端ベルト、２７…繰出プーリ，巻取プーリ、２８…有端シート、２９…ワンウェイクラッチ、３０ａ…多層シート、ＣＯ…商品。
【図１】
2008040548.tif 000003
【図２】
2008040548.tif 000004
【図３】
2008040548.tif 000005
【図４】
2008040548.tif 000006
【図５】
2008040548.tif 000007
【図６】
2008040548.tif 000008
【図７】
2008040548.tif 000009
【図８】
2008040548.tif 000010